(57)【要約】【課題】コードシンボル又はＲＦＩＤチップのどちらが商品に付されている場合であっても、一方向に商品を移動させる一連の読取動作で商品コードの読み取りを行えるようにする。【解決手段】商品３０２に付された商品コードを読み取るための移動空間２３１の両側に商品３０２を載置可能な第１の載置領域２１１と第２の載置領域２２１とを有する商品載置台２０１を備えさせて、コードスキャナ１２１がコードシンボルの形態で商品３０２に付された商品コードを光学的に読み取るための走査窓１２２と、ＲＦＩＤリーダ１３１が商品３０２に付されたＲＦＩＤチップに記憶された商品コードを読み取るためのアンテナ１３２とを移動空間２３１に対面する位置に配置した。【選択図】図１
2007179458.tif 000002
【特許請求の範囲】
【請求項１】
商品に付された商品コードを読み取るための当該商品の移動空間の両側に位置付けられて商品を載置可能な第１の載置領域と第２の載置領域とを有する商品載置台と、
前記移動空間よりも奥側であってこの移動空間に水平方向から対面する位置に走査窓が配置され、この走査窓から前記移動空間に向けて照射する光によって当該移動空間を移動する商品にコードシンボルの形態で付された商品コードを光学的に読み取るコードスキャナと、
前記移動空間よりも奥側であってこの移動空間に斜め上方から対面する位置にアンテナが配置され、このアンテナによって前記移動空間を移動する商品に付されたＲＦＩＤチップに記憶された商品コードを読み取るＲＦＩＤリーダと、
を備えるデータ読取装置。
【請求項２】
商品に付された商品コードを読み取るための当該商品の移動空間の両側に位置付けられて商品を載置可能な第１の載置領域と第２の載置領域とを有する商品載置台と、
前記移動空間よりも奥側であってこの移動空間に水平方向から対面する位置にアンテナが配置され、このアンテナによって前記移動空間を移動する商品に付されたＲＦＩＤチップに記憶された商品コードを読み取るＲＦＩＤリーダと、
前記移動空間よりも奥側であってこの移動空間に斜め上方から対面する位置に走査窓が配置され、この走査窓から前記移動空間に向けて照射する光によって当該移動空間を移動する商品にコードシンボルの形態で付された商品コードを光学的に読み取るコードスキャナと、
を備えるデータ読取装置。
【請求項３】
商品に付された商品コードを読み取るための当該商品の移動空間の両側に位置付けられて商品を載置可能な第１の載置領域と第２の載置領域とを有する商品載置台と、
前記移動空間よりも奥側であってこの移動空間に対面する位置に走査窓が配置され、この走査窓から前記移動空間に向けて照射する光によって当該移動空間を移動する商品にコードシンボルの形態で付された商品コードを光学的に読み取るコードスキャナと、
前記移動空間よりも奥側であってこの移動空間に対面する位置にアンテナが配置され、このアンテナによって前記移動空間を移動する商品に付されたＲＦＩＤチップに記憶された商品コードを読み取るＲＦＩＤリーダと、
を備え、前記走査窓と前記アンテナとは前記移動空間に沿って横方向に並列配置されている、データ読取装置。
【請求項４】
前記移動空間を移動する商品の移動軌跡の上流側には前記走査窓が配置されて下流側には前記アンテナが配置されている、請求項３記載のデータ読取装置。
【請求項５】
前記移動空間を移動する商品の移動軌跡の上流側には前記アンテナが配置されて下流側には前記走査窓が配置されている、請求項３記載のデータ読取装置。
【発明の詳細な説明】
【技術分野】
【０００１】
本発明は、スーパーマーケット等の店舗で使用されるコードスキャナ又はＲＦＩＤリーダ等のデータ読取装置に関する。
【背景技術】
【０００２】
従来、商品には商品コード等を記述するバーコード等のコードシンボルが付されており、データ読取装置としてコードスキャナを使用してコードシンボルから商品コードを読み取り、読み取った商品コードに基づいて商品販売データ処理が行われる。
【０００３】
ここで、コードスキャナの形態としては、スーパーマーケット等の店舗で商品載置台に立設されて使用されるいわゆる縦型（据置型）コードスキャナがある。この縦型コードスキャナを使用する場合、オペレータは、縦型コードスキャナの両側の商品載置台上面に商品籠を載置させて、一方の商品籠から商品を一点ずつ手に持って他方の商品籠に商品を移動させる過程でコードシンボルを縦型コードスキャナに読み取らせている。
【０００４】
ところで、近年、ＲＦＩＤ（Ｒａｄｉｏ  Ｆｒｅｑｕｅｎｃｙ  ＩＤｅｎｔｉｆｉｃａｔｉｏｎ）の技術を用いて商品コードを読み取る技術が提案されている（例えば、特許文献１）。これは、商品に商品コード等を記憶するＲＦＩＤチップを付し、データ読取装置としてＲＦＩＤリーダを使用してＲＦＩＤチップが記憶する商品コードを非接触で読み取るものである。
【０００５】
【特許文献１】特開２００２−０８３３６９公報
【発明の開示】
【発明が解決しようとする課題】
【０００６】
現在、商品コードを読み取るためのＲＦＩＤ技術の適用は過渡期であるため、全ての商品にＲＦＩＤチップを付するには至っておらず、今後もコードシンボルとＲＦＩＤチップとが選択的に使用される状況が継続すると考えられる。つまり、同一店舗内で、コードシンボルが付された商品とＲＦＩＤチップが付された商品とが共存して販売されるようなケースが想定される。
【０００７】
このようなケースでは、ＲＦＩＤリーダを使用する度に、一方向に商品を移動させて縦型コードスキャナに商品コードを読み取らせる読取動作を中断する必要があり、商品コードの読み取りに際しての作業性が著しく低下してしまう。
【０００８】
本発明の目的は、商品コードがコードシンボルとして商品に付されている場合であっても、また、ＲＦＩＤチップに商品コードが記憶されて商品に付されている場合であっても、一方向に商品を移動させる一連の読取動作によって商品コードの読み取りができるようにして、商品コードの読み取りに際しての作業性の低下を防止することである。
【課題を解決するための手段】
【０００９】
本発明のデータ読取装置は、商品に付された商品コードを読み取るための当該商品の移動空間の両側に位置付けられて商品を載置可能な第１の載置領域と第２の載置領域とを有する商品載置台と、前記移動空間よりも奥側であってこの移動空間に水平方向から対面する位置に走査窓が配置され、この走査窓から前記移動空間に向けて照射する光によって当該移動空間を移動する商品にコードシンボルの形態で付された商品コードを光学的に読み取るコードスキャナと、前記移動空間よりも奥側であってこの移動空間に斜め上方から対面する位置にアンテナが配置され、このアンテナによって前記移動空間を移動する商品に付されたＲＦＩＤチップに記憶された商品コードを読み取るＲＦＩＤリーダと、を備える。
【００１０】
別の面から見た本発明のデータ読取装置は、商品に付された商品コードを読み取るための当該商品の移動空間の両側に位置付けられて商品を載置可能な第１の載置領域と第２の載置領域とを有する商品載置台と、前記移動空間よりも奥側であってこの移動空間に水平方向から対面する位置にアンテナが配置され、このアンテナによって前記移動空間を移動する商品に付されたＲＦＩＤチップに記憶された商品コードを読み取るＲＦＩＤリーダと、前記移動空間よりも奥側であってこの移動空間に斜め上方から対面する位置に走査窓が配置され、この走査窓から前記移動空間に向けて照射する光によって当該移動空間を移動する商品にコードシンボルの形態で付された商品コードを光学的に読み取るコードスキャナと、を備える。
【００１１】
さらに別の面から見た本発明のデータ読取装置は、商品に付された商品コードを読み取るための当該商品の移動空間の両側に位置付けられて商品を載置可能な第１の載置領域と第２の載置領域とを有する商品載置台と、前記移動空間よりも奥側であってこの移動空間に対面する位置に走査窓が配置され、この走査窓から前記移動空間に向けて照射する光によって当該移動空間を移動する商品にコードシンボルの形態で付された商品コードを光学的に読み取るコードスキャナと、前記移動空間よりも奥側であってこの移動空間に対面する位置にアンテナが配置され、このアンテナによって前記移動空間を移動する商品に付されたＲＦＩＤチップに記憶された商品コードを読み取るＲＦＩＤリーダと、を備え、前記走査窓と前記アンテナとは前記移動空間に沿って横方向に並列配置させた。
【発明の効果】
【００１２】
本発明によれば、コードスキャナの走査窓とＲＦＩＤリーダのアンテナとが、商品コードを読み取らせるために商品を移動させる移動空間に対面する位置に配置されているため、オペレータは、コードシンボル又はＲＦＩＤチップのどちらが商品に付されている場合であっても、一方向に商品を移動させる一連の読取動作で商品コードの読み取りができ、したがって商品コードの読み取りに際しての作業性の低下が防止される。
【発明を実施するための最良の形態】
【００１３】
本発明の実施の一形態を図面に基づいて説明する。
【００１４】
図１は、本発明の第１の実施の形態のデータ読取装置１０１を概略的に示す斜視図である。商品販売データ処理装置（図示しない）等に接続されて使用されるデータ読取装置１０１は、一方向に長いテーブル構成の商品載置台２０１と、この商品載置台２０１の上面奥側の縁部に立設された本体ユニット１１１とから構成されている。商品載置台２０１上面であって本体ユニット１１１の両側には、商品３０２又は商品３０２が収納された商品籠３０１が載置できる第１の載置領域２１１と第２の載置領域２２１とが確保されている。
【００１５】
商品載置台２０１に載置される商品３０２には各商品３０２を特定する商品コードが付されている。そして、商品３０２には、コードシンボルとして例えばバーコード（図示しない）の形態で商品コードが付されたものと、ＲＦＩＤチップ（図示しない）の記憶データの形態で商品コードが付されたものとがあり、各商品３０２には、バーコード又はＲＦＩＤチップの少なくとも一方が付されている。ここで、商品コードは、商品３０２の種類毎に割り振られて商品３０２の種類を特定する例えばＪＡＮコード等であってもよいし、また、同一種類の商品３０２であっても個々の商品３０２毎に相違するコードであってもよい。
【００１６】
本体ユニット１１１は、垂直方向に長い板形状の垂直部１１１ａとその上部で手前側に傾斜した傾斜部１１１ｂとから構成されている。また、本体ユニット１１１の上端には、手前側に向けて情報を表示する表示部としてのオペレータ用表示器１５１が設置されており、オペレータ用表示器１５１の表示画面には入力部としてのタッチパネル１５２が取り付けられている。
【００１７】
そして、本体ユニット１１１には、コードスキャナ１２１とＲＦＩＤリーダ１３１とが設けられている。
【００１８】
コードスキャナ１２１は、本体ユニット１１１の垂直部１１１ａに設けられ、本体ユニット１１１の手前側の一面に垂直に配置された走査窓１２２を有している。このとき、本体ユニット１１１の手前側で走査窓１２２に対面する位置には、商品３０２に付された商品コードを読み取らせるための空間である移動空間２３１が形成される。コードスキャナ１２１は、この移動空間２３１に対して走査窓１２２から光を照射することで移動空間２３１に光走査パターンを形成し、移動空間２３１に位置付けられた商品３０２に付されたバーコードに光走査パターンが照射された際の反射光を捉えてデジタル変換することで商品コードの読み取りを行う。
【００１９】
ＲＦＩＤリーダ１３１は、本体ユニット１１１の傾斜部１１１ｂに設けられており、本体ユニット１１１の手前側の一面に傾斜して配置されてＲＦＩＤチップとの間で通信を確立するためのアンテナ１３２を有している。このように配置されたアンテナ１３２は、移動空間２３１に斜め上方から対面する位置に位置付けられていることになり、ＲＦＩＤリーダ１３１は、このアンテナ１３２によって、アンテナ１３２の斜め下方に位置する移動空間２３１に位置付けられた商品３０２に付されたＲＦＩＤチップとの間で通信を実行して、このＲＦＩＤチップに記憶された商品コードの読み取りを行う。
【００２０】
このように構成されたデータ読取装置１０１で、バーコードの形態で付された商品コードを読み取らせるために商品３０２を走査窓１２２と対面する移動空間２３１に位置付けると、コードスキャナ１２１によって商品コードが読み取られる。このとき、同じ移動空間２３１に斜め上方から対面する位置にアンテナ１３２が配置されているため、商品３０２にＲＦＩＤチップが付されていればＲＦＩＤリーダ１３１によって商品コードが読み取られる。
【００２１】
つまり、商品３０２にバーコード又はＲＦＩＤチップのどちらが付されている場合であっても、バーコードの形態で付された商品コードをコードスキャナ１２１に読み取らせるために第１の載置領域２１１から第２の載置領域２２１へ移動軌跡を描いて商品３０２を移動させる過程で商品３０２を移動空間２３１に位置付ける読取動作によって、商品３０２に付された商品コードの読み取りを行うことができる。
【００２２】
図２は、本発明の第２の実施の形態のデータ読取装置１０１を概略的に示す斜視図である。図１において示した部分と同じ機能を奏する部分は同一符号で示し、説明も省略する（以下、同じ）。
【００２３】
本実施の形態のデータ読取装置１０１が、図１に基づいて説明した第１の実施の形態のデータ読取装置１０１と異なる点は、コードスキャナ１２１（走査窓１２２）とＲＦＩＤリーダ１３１（アンテナ１３２）との相対的な位置である。
【００２４】
コードスキャナ１２１は、本体ユニット１１１の傾斜部１１１ｂに設けられ、本体ユニット１１１の手前側の一面に傾斜して配置された走査窓１２２を有している。このとき、本体ユニット１１１の手前側で走査窓１２２に対面する位置には、商品３０２に付された商品コードを読み取らせるための空間である移動空間２３１が形成される。コードスキャナ１２１は、この移動空間２３１に対して走査窓１２２から光を照射することで移動空間２３１に光走査パターンを形成し、移動空間２３１に位置付けられた商品３０２に付されたバーコードに光走査パターンが照射された際の反射光を捉えてデジタル変換することで商品コードの読み取りを行う。
【００２５】
また、ＲＦＩＤリーダ１３１は、本体ユニット１１１の垂直部１１１ａに設けられており、本体ユニット１１１の手前側の一面に垂直に配置されてＲＦＩＤチップとの間で通信を確立するためのアンテナ１３２を有している。このように配置されたアンテナ１３２は、移動空間２３１に対面する位置に位置付けられていることになり、ＲＦＩＤリーダ１３１は、このアンテナ１３２によって、アンテナ１３２に対面する位置の移動空間２３１に位置付けられた商品３０２に付されたＲＦＩＤチップとの間で通信を実行して、このＲＦＩＤチップに記憶された商品コードの読み取りを行う。
【００２６】
このようにアンテナ１３２と走査窓１２２とが配置されたデータ読取装置１０１では、バーコードの形態で付された商品コードを読み取らせるために商品３０２を走査窓１２２の斜め下方に位置する移動空間２３１に位置付けると、コードスキャナ１２１によって商品コードが読み取られる。このとき、同じ移動空間２３１に対面する位置にアンテナ１３２が配置されているため、商品３０２にＲＦＩＤチップが付されていればＲＦＩＤリーダ１３１によって商品コードが読み取られる。つまり、バーコードの形態で付された商品コードをコードスキャナ１２１に読み取らせるために商品３０２を移動空間２３１に位置付ける読取動作によって、商品３０２にバーコード又はＲＦＩＤチップのどちらが付されていても商品コードの読み取りを行うことができる。
【００２７】
図３は、本発明の第３の実施の形態のデータ読取装置１０１を概略的に示す斜視図である。本実施の形態のデータ読取装置１０１が備える本体ユニット１１１は、図１又は図２に基づいて説明したデータ読取装置１０１が備える本体ユニット１１１と異なり、垂直方向に長い扁平な板形状である。
【００２８】
そして、本体ユニット１１１には、コードスキャナ１２１とＲＦＩＤリーダ１３１とが商品載置台２０１の長手方向である横方向に並列に設けられている。
【００２９】
コードスキャナ１２１は、本体ユニット１１１の第１の載置領域２１１側に位置付けられて設けられ、本体ユニット１１１の手前側の一面に垂直に配置された走査窓１２２を有している。このとき、本体ユニット１１１の手前側で走査窓１２２に対面する位置には、商品３０２に付された商品コードを読み取らせるための空間である移動空間２３１が形成される。コードスキャナ１２１は、この移動空間２３１に対して走査窓１２２から光を照射することで移動空間２３１に光走査パターンを形成し、移動空間２３１に位置付けられた商品３０２に付されたバーコードに光走査パターンが照射された際の反射光を捉えてデジタル変換することで商品コードの読み取りを行う。
【００３０】
また、ＲＦＩＤリーダ１３１は、本体ユニット１１１の第２の載置領域２２１側に位置付けられて設けられており、本体ユニット１１１の手前側の一面に配置されてＲＦＩＤチップとの間で通信を確立するためのアンテナ１３２を有している。このように配置されたアンテナ１３２は、移動空間２３１に対面する位置に位置付けられていることになり、ＲＦＩＤリーダ１３１は、このアンテナ１３２によって、アンテナ１３２に対面する移動空間２３１に位置付けられた商品３０２に付されたＲＦＩＤチップとの間で通信を実行して、このＲＦＩＤチップに記憶された商品コードの読み取りを行う。
【００３１】
このように構成されたデータ読取装置１０１で、バーコードの形態で付された商品コードを読み取らせるために商品３０２を移動空間２３１に位置付けると、コードスキャナ１２１によって商品コードが読み取られる。このとき、同じ移動空間２３１に対面する位置にアンテナ１３２が配置されているため、商品３０２にＲＦＩＤチップが付されていればＲＦＩＤリーダ１３１によって商品コードが読み取られる。
【００３２】
つまり、商品３０２にバーコード又はＲＦＩＤチップのどちらが付されていても、バーコードの形態で付された商品コードをコードスキャナ１２１に読み取らせるために第１の載置領域２１１から第２の載置領域２２１へ移動軌跡を描いて商品３０２を移動させる過程で商品３０２を移動空間２３１に位置付ける読取動作によって、商品３０２に付された商品コードの読み取りを行うことができる。
【００３３】
図４は、本発明の第４の実施の形態のデータ読取装置１０１を概略的に示す斜視図である。本実施の形態のデータ読取装置１０１が、図３に基づいて説明した第３の実施の形態のデータ読取装置１０１と異なる点は、コードスキャナ１２１（走査窓１２２）とＲＦＩＤリーダ１３１（アンテナ１３２）との相対的な位置である。
【００３４】
コードスキャナ１２１は、本体ユニット１１１の第２の載置領域２２１側に位置付けられて設けられ、本体ユニット１１１の手前側の一面に垂直に配置された走査窓１２２を有している。このとき、本体ユニット１１１の手前側で走査窓１２２に対面する位置には、商品３０２に付された商品コードを読み取らせるための空間である移動空間２３１が形成される。コードスキャナ１２１は、この移動空間２３１に対して走査窓１２２から光を照射することで移動空間２３１に光走査パターンを形成し、移動空間２３１に位置付けられた商品３０２に付されたバーコードに光走査パターンが照射された際の反射光を捉えてデジタル変換することで商品コードの読み取りを行う。
【００３５】
また、ＲＦＩＤリーダ１３１は、本体ユニット１１１の第１の載置領域２１１側に位置付けられて設けられており、本体ユニット１１１の手前側の一面に配置されてＲＦＩＤチップとの間で通信を確立するためのアンテナ１３２を有している。ＲＦＩＤリーダ１３１は、アンテナ１３２によって、このアンテナ１３２と対面する移動空間２３１に位置付けられた商品３０２に付されたＲＦＩＤチップとの間で通信を実行して、このＲＦＩＤチップに記憶された商品コードの読み取りを行う。
【００３６】
そして、バーコードの形態で付された商品コードを読み取らせるために商品３０２を移動空間２３１に位置付けると、コードスキャナ１２１によって商品コードが読み取られる。このとき、同じ移動空間２３１に対面する位置にアンテナ１３２が配置されているため、商品３０２にＲＦＩＤチップが付されていればＲＦＩＤリーダ１３１によって商品コードが読み取られる。つまり、バーコードの形態で付された商品コードをコードスキャナ１２１に読み取らせるために商品３０２を移動空間２３１に位置付ける読取動作によって、商品３０２にバーコード又はＲＦＩＤチップのどちらが付されていても商品コードの読み取りを行うことができる。
【図面の簡単な説明】
【００３７】
【図１】本発明の第１の実施の形態のデータ読取装置を概略的に示す斜視図である。
【図２】本発明の第２の実施の形態のデータ読取装置を概略的に示す斜視図である。
【図３】本発明の第３の実施の形態のデータ読取装置を概略的に示す斜視図である。
【図４】本発明の第４の実施の形態のデータ読取装置を概略的に示す斜視図である。
【符号の説明】
【００３８】
１０１  データ読取装置
１２１  コードスキャナ
１２２  走査窓
１３１  ＲＦＩＤリーダ
１３２  アンテナ
２０１  商品載置台
２１１  第１の載置領域
２２１  第２の載置領域
２３１  移動空間
３０２  商品
【図１】
2007179458.tif 000003
【図２】
2007179458.tif 000004
【図３】
2007179458.tif 000005
【図４】
2007179458.tif 000006